(57)【特許請求の範囲】
【請求項１】
アナログテレビジョン放送信号の映像信号にスクランブルをかけて送信するスクランブル放送送信装置において、
与えられる情報に基づいて、前記アナログテレビジョン放送信号の映像信号に対し可逆なスクランブル方式によりスクランブルを選択的にかけて出力するとともに受信装置側で前記スクランブルを解くための鍵情報を出力するスクランブル手段と、
別途提供されるスクランブル番組切替指示情報の入力時から所定時間経過後に、前記スクランブル手段に対しスクランブル開始情報を送出するスクランブル制御手段とを具備してなることを特徴とするスクランブル放送送信装置。
【請求項２】
前記スクランブル制御手段は、別途提供されるノンスクランブル番組切替指示情報を入力した場合に、その入力時からノンスクランブル番組切替の所定時間前に前記スクランブル手段に対しノンスクランブル開始情報を送出して前記スクランブル手段に対するスクランブル処理を停止させることを特徴とする請求項１記載のスクランブル放送送信装置。
【請求項３】
前記スクランブル制御手段は、別途提供されるスクランブル番組切替指示情報の入力時から前記スクランブル開始情報を送出する前に、無効なダミー情報を前記スクランブル手段から出力される前記鍵情報に付加するダミー情報付加手段を有してなることを特徴とする請求項１記載のスクランブル放送送信装置。
【請求項４】
アナログテレビジョン放送信号の映像信号にスクランブルをかけて送信するスクランブル放送送信方法において、
別途提供されるスクランブル番組切替指示情報の入力時から所定時間経過後に、前記アナログテレビジョン信号の映像信号に対し可逆なスクランブル方式によりスクランブルを選択的にかけて出力するとともに受信装置側で前記スクランブルを解くための鍵情報を出力するようにしたことを特徴とするスクランブル放送送信方法。
【請求項５】
別途提供されるノンスクランブル番組切替指示情報を入力した場合に、その入力時からノンスクランブル番組切替の所定時間前アナログテレビジョン放送信号の映像信号に対するスクランブル処理を停止することを特徴とする請求項４記載のスクランブル放送送信方法。
【請求項６】
別途提供されるスクランブル番組切替指示情報の入力時からスクランブル開始するまでの間に、無効なダミー情報を前記鍵情報に挿入することを特徴とする請求項４記載のスクランブル放送送信方法。
【発明の詳細な説明】
【０００１】
【発明の属する技術分野】
この発明は、例えば衛星アナログ放送システムの放送局に適用され、アナログテレビジョン放送信号の映像信号にスクランブルかけて送信するスクランブル放送送信装置及び方法に関する。
【０００２】
【従来の技術】
近年、ＷＯＷＷＯＷまたは日本衛星放送株式会社等の衛星アナログ放送が実施されているが、その中でスクランブル放送が有力視されている。中でも、ＣＯＡＴＥＣ方式によるスクランブル放送で実際に運用するための手段が検討されている。
【０００３】
ところで、ＣＯＡＴＥＣ方式では、放送局内においてスクランブル放送信号の中に受信装置側でスクランブルを解くための鍵情報を含めており、この鍵情報の送信間隔が９ｍｓの倍数のため秒と完全に一致しない。このため、スクランブル番組に切り替わった際に、契約者側では、スクランブル放送信号を受信しても、スクランブル映像信号と鍵情報とのタイミングがずれていることにより、番組開始から終了まで全てを視聴できるようなサービスを受けられなくなる恐れがある。
【０００４】
また、契約者が所持する受信装置のデコーダにあっては、ノンスクランブル状態からスクランブル有りの鍵情報を受信すると一瞬ノイズが発生することになる。このため、契約者側では、鍵情報を正確に把握できないために、スクランブルを正確に解くことができず、上記と同様に、番組開始から終了まで全てを視聴できるようなサービスを受けられなくなる恐れがある。
【０００５】
【発明が解決しようとする課題】
以上のように従来考えられているＣＯＡＴＥＣ方式のスクランブル放送では、契約者側において、スクランブル映像信号と鍵情報とのタイミングがずれていることにより、番組開始から終了まで全てを視聴できるようなサービスを受けられなくなるという問題を有している。また、契約者が所持する受信装置のデコーダにあっては、ノンスクランブル状態からスクランブル有りの鍵情報を受信すると一瞬ノイズが発生することになり、このため、スクランブルを完全に解くことができず、番組開始から終了まで全てを視聴できるようなサービスを受けられなくなるという問題を有している。
【０００６】
この発明の目的は、契約者側にとって不利とならないようなスクランブル放送サービスを提供し、受信装置側のデコーダに発生するノイズを回避するように工夫されたスクランブル放送信号送信装置及び方法を提供することにある。
【０００７】
【課題を解決するための手段】
この発明に係るスクランブル放送信号送信装置は、アナログテレビジョン放送信号の映像信号にスクランブルをかけて送信するスクランブル放送信号送信装置において、与えられる情報に基づいて、アナログテレビジョン放送信号の映像信号に対し可逆なスクランブル方式によりスクランブルを選択的にかけて出力するとともに受信装置側でスクランブルを解くための鍵情報を出力するスクランブル手段と、別途提供されるスクランブル番組切替指示情報の入力時から所定時間経過後に、スクランブル手段に対しスクランブル開始情報を送出するスクランブル制御手段とを備えるようにしたものである。また、スクランブル制御手段は、別途提供されるノンスクランブル番組切替指示情報を入力した場合に、その入力時からノンスクランブル番組切替の所定時間前にスクランブル手段に対しノンスクランブル開始情報を送出しスクランブル手段のスクランブル処理を停止させるようにもしている。
【０００８】
この構成によれば、スクランブル番組切替時に、スクランブル番組切替指示情報の提供側からスクランブル番組に切り替わる所定時間前にスクランブル番組切替指示情報を入力し、この入力時から所定時間経過してからアナログテレビジョン放送信号の映像信号に対しスクランブル処理を実行し、同時にスクランブルを解くための鍵情報を送信する。ノンスクランブル番組切替時に、ノンスクランブル番組切替指示情報入力時からノンスクランブル番組切替の所定時間前に映像信号に対するスクランブル処理を停止するようにしている。
【０００９】
このため、スクランブル番組が完全に始まってから、スクランブルを開始し、終了する前に終了することができ、契約者側にとって不利にならないようなスクランブル放送サービスを提供することができる。また、スクランブル番組が完全に始まってから、スクランブルを開始し、終了する前に終了することができるので、契約者以外の者であっても、そのスクランブル番組の一部を見ることにより興味を持たせることが可能となる。
【００１０】
また、上記構成において、スクランブル制御手段は、別途提供されるスクランブル番組切替指示情報の入力時からスクランブル開始情報を送出する前に、無効なダミー情報をスクランブル手段から出力される鍵情報に付加するダミー情報付加手段を有してなることを特徴とする。
【００１１】
この構成によれば、スクランブル番組切替指示情報の入力時からスクランブル処理を開始するまでの間に、無効なダミー情報が鍵情報の前に送信されることとなり、契約者側が所持する受信装置のデコーダには、スクランブル番組に切り替わる前に、ダミー情報が受信されることになり、スクランブル番組に切り替わった後に、鍵情報が正しく受信されることになる。すなわち、デコーダでノイズは発生しない。
【００１２】
このため、デコーダにとっては、鍵情報の受信時に、ノイズによる影響を受けることなく、スクランブル番組のスクランブルを完全に解くことが可能となり、これにより、番組開始から終了まで全てを視聴できるようなサービスを提供することができる。
【００１３】
【発明の実施の形態】
以下、この発明の実施形態について図面を参照して詳細に説明する。
【００１４】
（第１の実施形態）
図１は、この発明に係わるスクランブル放送送信装置の一実施形態の構成を示すブロック構成図である。
【００１５】
このスクランブル放送送信装置では、放送すべきアナログテレビジョン放送信号の映像信号がスクランブル回路１１に入力される。スクランブル回路１１は、スクランブル制御装置１２からの情報に基づいて、入力された映像信号に対しＣＯＡＴＥＣ方式によりスクランブルを選択的にかけて出力するとともに、契約者が所持する受信装置側でスクランブルを解くための鍵情報を出力する。なお、この鍵情報は、アナログテレビジョン放送信号の音声信号に重畳されて放送されることとなる。
【００１６】
一方、スクランブル制御装置１２は、図示しないＡＰＣ（自動運行装置）から提供される指示情報を入力し、この入力時から所定時間経過後にスクランブル回路１１に対しスクランブル開始情報もしくはノンスクランブル開始情報を送出してスクランブル回路１１のスクランブル処理を制御するようにしている。
【００１７】
次に、上記構成における動作について図２及び図３を参照して説明する。
【００１８】
すなわち、ノンスクランブル番組からスクランブル番組に切り替わる際に、スクランブル制御装置１２は、図２に示す如く、スクランブル番組に切り替わる３秒前にＡＰＣからスクランブル番組切替指示情報を入力し、この入力時から３秒経過後にスクランブル回路１１にスクランブル開始情報を送出する。そして、スクランブル回路１１では、スクランブル番組に切り替わった後に、スクランブル開始情報を受け取り、放送すべきアナログテレビジョン放送信号の映像信号に対しスクランブル処理を実行し、同時にスクランブルを解くための鍵情報を送信するようにしている。なお、鍵情報の送信タイミングは、９ｍｓの倍数であるため、ＡＰＣからの指示があってから３秒経過後にスクランブル処理を開始するようにすれば、ちょうど番組切替が行なわれた後に、開始されることとなる。
【００１９】
また、スクランブル番組からノンスクランブル番組に切り替わる際に、スクランブル制御装置１２は、図３に示す如く、ノンスクランブル番組に切り替わる３秒前にＡＰＣからノンスクランブル番組切替指示情報を入力し、この入力時から２秒経過後にスクランブル回路１１にノンスクランブル開始情報を送出する。そして、スクランブル回路１１では、ノンスクランブル番組に切り替わる前に、ノンスクランブル開始情報を受け取り、放送すべきアナログテレビジョン放送信号の映像信号に対するスクランブル処理を停止する。
【００２０】
以上のように上記実施形態によれば、スクランブル番組切替時に、スクランブル制御装置１２は、スクランブル番組に切り替わる３秒前にＡＰＣからスクランブル番組切替指示情報を入力し、この入力時から３秒経過後に、スクランブル開始情報をスクランブル回路１１に送出する。そして、スクランブル回路１１では、スクランブル開始情報を受け取ると、アナログテレビジョン放送信号の映像信号に対しスクランブル処理を実行して出力し、同時にスクランブルを解くための鍵情報を出力する。ノンスクランブル番組切替時に、スクランブル制御装置１２は、ノンスクランブル番組切替の３秒前にＡＰＣからノンスクランブル開始情報を入力し、この入力時から２秒後、つまりノンスクランブル番組切替前に、ノンスクランブル開始情報をスクランブル回路１１に送出する。そして、スクランブル回路１１では、ノンスクランブル開始情報を受け取ると、映像信号に対するスクランブル処理を停止するようにしている。
【００２１】
このため、スクランブル番組が完全に始まってから、スクランブルを開始し、終了する前に終了することができるので、契約者側にとって不利にならないようなスクランブル放送サービスを提供することができる。また、スクランブル番組が完全に始まってから、スクランブルを開始し、終了する前に終了することができるので、契約者以外の者であっても、そのスクランブル番組の一部を見ることにより興味を持たせることが可能となる。
【００２２】
（第２の実施形態）
図４は、この発明の第２の実施形態に係わるスクランブル放送送信装置の構成を示すブロック構成図である。なお、図４において、図１と同一部分には同一符号を付して詳細な説明を省略する。
【００２３】
すなわち、スクランブル制御装置１２には、ダミー付加手段１２１が設けられている。このダミー付加手段１２１は、ＡＰＣからのスクランブル番組切替指示情報の入力時からスクランブル開始情報を送出する前に、無効なダミー番組情報をスクランブル回路１１から出力される鍵情報に付加するものである。
【００２４】
次に、この第２の実施形態における動作について図５を参照して説明する。  すなわち、鍵情報を送出する場合、スクランブル制御装置１２は、図５に示す如く、ＡＰＣからのスクランブル番組切替指示情報の入力時から１秒後、２秒後にダミー番組情報をスクランブル回路１１に送出し、３秒後にスクランブル開始情報をスクランブル回路１１に送出する。すると、スクランブル回路１１では、鍵情報の前にダミー番組情報が送信されることになる。そして、契約者側が所持する受信装置のデコーダには、スクランブル番組に切り替わる前に、ダミー番組情報が受信されることになり、スクランブル番組に切り替わった後に、鍵情報が正しく受信されることになる。すなわち、デコーダでノイズは発生しない。
【００２５】
従って、第２の実施形態であれば、デコーダにとっては、鍵情報の受信時に、ノイズによる影響を受けることなく、スクランブル番組のスクランブルを完全に解くことが可能となり、これにより、番組開始から終了まで全てを視聴できるようなサービスを提供することができる。また、受信装置側でノイズ回避のための対策をとる必要がないので、契約者は、既存の受信装置を所持していれば済むことになり、システム全体としては安価なサービスを提供できる。
【００２６】
なお、この発明は、各実施形態のように、衛星アナログテレビジョン放送方式における送信装置のみならず、ＣＯＡＴＥＣ方式を採用するものならば、他の放送または通信メディアにも適用可能である。
【００２７】
【発明の効果】
以上詳述したようにこの発明によれば、契約者側にとって不利とならないようなスクランブル放送サービスを提供し、受信装置側のデコーダに発生するノイズを回避するように工夫されたスクランブル放送信号送信装置及び方法を提供することができる。
【図面の簡単な説明】
【図１】この発明に係るスクランブル放送送信装置の一実施形態の構成を示すブロック構成図。
【図２】同実施形態におけるスクランブル番組切替時の動作を説明するためのタイミングチャート。
【図３】同実施形態におけるノンスクランブル番組切替時の動作を説明するためのタイミングチャート。
【図４】この発明の第２の実施形態を示すブロック構成図。
【図５】同第２の実施形態における動作を説明するためのタイミングチャート。
【符号の説明】
１１…スクランブル回路、
１２…スクランブル制御装置、
１２１…ダミー付加手段。
【図１】
0004256036.tif 000002
【図２】
0004256036.tif 000003
【図３】
0004256036.tif 000004
【図４】
0004256036.tif 000005
【図５】
0004256036.tif 000006